(57)【特許請求の範囲】
【請求項１】
地下水を移送する２本の導水主配管の一方に一端を、他方に他端を連結された融雪配管の前記導水主配管との分岐部分に洗浄ボールを貯留させ、前記融雪配管への前記地下水の流入を前記２本の導水主配管の一方と他方とからに切替え、前記洗浄ボールが前記融雪配管の両端間を移動するようにしたことを特徴とする融雪配管洗浄装置。
【請求項２】
ポンプで圧送される地下水を移送する２本の導水主配管の一方に一端を、他方に他端を連結され道路に埋設された融雪配管であって、前記融雪配管の前記導水主配管との分岐部分に洗浄ボールを通水可能な状態で保持し、前記融雪配管への前記地下水の流入を前記２本の導水主配管の一方と他方とからに切替え、前記洗浄ボールが前記融雪配管の両端間を往復移動するようにしたことを特徴とする融雪配管洗浄装置。
【請求項３】
ポンプで圧送される地下水を移送する２本の導水主配管の一方に第１の仕切弁を介して一端を連結されると共に、他端を他方の導水主配管に第２の仕切弁を介して連結される融雪配管であって、前記融雪配管の前記導水主配管との分岐部分に複数個の洗浄ボールを保持し通水させる拡管部を設け、前記融雪配管への前記地下水の流入を前記２本の導水主配管の一方と他方とからに切替え前記融雪配管の通水方向を変えて、前記複数個の洗浄ボールを前記融雪配管の両端間を往復移動させ前記融雪配管内を洗浄するようにしたことを特徴とする融雪配管洗浄装置。
【請求項４】
ポンプで圧送される地下水を移送する２本の導水主配管と、一端を前記一方の導水主配管に連結されると共に他端を前記他方の導水主配管に連結され、前記２本の導水主配管とのそれぞれの分岐部分に複数個の洗浄ボールを保持し通水させる拡管部を有する融雪配管と、前記ポンプで圧送される地下水を前記２本の導水主配管のいずれかから前記融雪配管に流入するように切替える切替手段とを具備し、前記地下水の流入を前記２本の導水主配管の一方と他方とからに切替え前記融雪配管の通水方向を変えて、前記複数個の洗浄ボールを前記融雪配管の両端間を往復移動させ前記融雪配管内を洗浄するようにしたことを特徴とする融雪配管洗浄装置。
【発明の詳細な説明】
【０００１】
【発明の属する技術分野】
本発明は、雪国の道路に埋設されている融雪配管に地下水を通水して無散水で融雪する融雪装置の融雪能力低下を防止する融雪配管洗浄装置に関する。
【０００２】
【従来の技術】
一般に、雪国における道路の融雪を行うのに無散水で融雪する融雪装置が用いられている。無散水融雪装置は、井戸水（地下水）をポンプにより汲み上げて２本の導水主配管により移送して道路に埋設された多数の融雪配管を循環させることにより路上の雪を散水することなく融雪する。
【０００３】
２本の導水主配管は道路の側溝に配置され、２本の導水主配管に多数の融雪配管が分岐して連結されている。融雪配管は、一端を一方の導水主配管に連結されると共に他端を他方の導水主配管に連結される。地下水は、融雪配管に一方の導水主配管から流入し他方の導水主配管に排出される。
【０００４】
融雪配管（伝熱管）は伝熱管内を流れる地下水の熱量が効率良く路面に伝達されるよう路面に近接して設けられる。融雪配管の熱交換によって路面の雪を溶かし温度の下がった地下水は、他方の導水主配管を介して別に設けられている還元井戸に戻されるようになっている。
【０００５】
このような無散水融雪装置は、井戸水（地下水）を路面に散水せず、熱交換して温度の下がった使用済みの用水は還元井戸に戻されるために地下水の水位が下がることなく、また地下水が汚染されることがないという利点があり、環境に優しいということで多くの都市で採用されている。
【０００６】
しかし、長年の使用によって融雪配管を構成する伝熱管の内面にスライムが付着し、通水が阻害されるので定期的に洗浄そることを必要とする。従来は、融雪配管にスライムを溶かす薬品の溶液を通水して洗浄を行っている。
【０００７】
【発明が解決しようとする課題】
従来技術は、融雪配管にスライムを溶かす薬品の溶液を通水して洗浄を行っている。しかし、洗浄した後の廃液の処理が面倒で洗浄に多大な経費を要し、その上に廃液が環境を悪化させるという問題点を有する。
本発明の目的は、融雪配管の洗浄を簡単かつ環境に悪影響を与えることなく行える融雪配管洗浄装置を提供することにある。
【０００８】
【課題を解決するための手段】
本発明の特徴とするところは、地下水を移送する２本の導水主配管に連結された融雪配管の導水主配管との分岐部分に洗浄ボールを貯留させ、融雪配管への地下水の流入を２本の導水主配管の一方と他方とからに切替え、洗浄ボールが融雪配管の両端間を移動するようにしたことにある。
【０００９】
本発明に用いる洗浄ボールは、見かけ上の比重が略１になる独立気泡を含むセラミックで構成され、融雪配管の内径よりも僅かに小さい径のものが望ましい。
本発明は融雪配管内の地下水の流れ方向を変えて洗浄ボールを移動させ洗浄しているので洗浄を簡単に行え、また、洗浄ボールを摩耗等が生じても環境に悪影響を与えない独立気泡を含むセラミックなどの材質で構成することにより環境に悪影響を与えることなく洗浄できる。
【００１０】
【発明の実施の形態】
図１に本発明一実施例を示す。
図１において、年間を通じて略一定温度（約１３℃）の井戸水（地下水）１０はポンプ１２により汲み上げられ、三方切替弁２１Ａを介して導水主配管１３Ａ、１３Ｂの一方に送水される。導水主配管１３Ａ、１３Ｂは道路の側溝に配設されている。
【００１１】
多数の融雪配管１４は導水主配管１３Ａ、１３Ｂから分岐して道路に埋設されている。融雪配管１４は、一端を分岐弁１７Ａを介して導水主配管１３Ａに連結され、他端を分岐弁１７Ｂを介して導水主配管１３Ｂに連結されされている。融雪配管（伝熱管）１４は、図２に示すように伝熱管１４内を流れる井戸水の熱量が効率良く路面に伝達されるように道路１１の路面に近接して設けられる。
【００１２】
融雪配管１４を通水して、熱交換によって路面１１の雪を溶かし温度の下がった井戸水は、三方切替弁２１Ｂを介して図示しない還元井戸に戻される。
【００１３】
このような無散水融雪装置は、路面に埋め込まれた小径の融雪配管（融雪配管モジュール）１４内に地下水（井戸水）を通水することにより路面１１上に積もった雪を融かすように構成されている。
【００１４】
さて、本発明は融雪配管１４が導水主配管１３A及び１３Ｂから分岐した個所に設けた分岐弁１７Ａ、１７Ｂの近傍に洗浄ボール２０を１個若しくは２個を通水可能な状態で保持するように封入した拡管部１５Ａ、１５Ｂを設けている。そして、導水主配管１３Ａ及び１３Ｂに三方切替弁２１Ａ及び２１Ｂを設けている。
【００１５】
三方切替弁２１Ａを切替えて導水主配管１３Ａ、１３Ｂの一方に地下水を通水し、三方切替弁２１Ｂを切替えることにより導水主配管１３Ａ、１３Ｂの一方から地下水が還元井戸に戻される。三方切替弁２１Ａと２１Ｂ切替えによって融雪配管１４の通水方向が変わり、洗浄ボール２０が融雪配管１４の一端から他端に移動し往復運動するようになる。洗浄ボール２０が融雪配管１４内のスライムや錆を掻き落とすようになる。
【００１６】
このように、無散水融雪装置の融雪配管１４内に管内径よりも僅かに小さい外径の洗浄ボールを封入し、融雪配管１４内を流れる地下水の通水方向を所定時間周期で変え、洗浄ボール２０ルを融雪配管１４の管内を往復動させることにより配管内のスライムを除去する。
【００１７】
洗浄ボール２０は、その外径が融雪配管モジュール１４を構成する伝熱管の内径よりもやや小さく、そして、摩耗等が生じても環境に悪影響を与えない独立気泡を含むセラミックで構成されている。ボール２０は見かけ上の比重が略１になるように調整されており、用水によって伝熱管１４内を移動しやすい構造としている。
【００１８】
図３、図４に拡管部１５の詳細を示す。
【００１９】
拡管部１５は直径方向に仕切りバー１６が設けられ、ボール２０が分岐弁１７側に移動するのを阻止する。伝熱管１４の内径が１５ｍｍの場合、ボール２０の外径が１４ｍｍとし、拡管部１５の内径が３０ｍｍ程度にするのが望ましい。三方切替弁１３Ａと１３Ｂとは同期して制御され、例えば８時間周期で切替わるように時間制御される。
【００２０】
今、切替弁１３Ａが導水主配管１３Ａ側に連通され、切り替え弁２１Ｂが導水主配管１３Ｂ側に連通している場合は、融雪配管モジュール１４には図１の矢印Ｘ方向に地下水１０が流れる。この時、洗浄ボール２０は、モジュール１４の流れの下流側の拡管部１５Ｂにある。
【００２１】
次に、三方切替弁１３Ａ、１３Ｂが切り替わると井戸水１０は、導水主配管１３Ｂ側からモジュール１４に流入し、導水主配管１３Ａ側に流出することになり、洗浄ボール２０は矢印Ｘの逆方向に移動し、伝熱管１４内のスライムを掻き落とし洗浄する。洗浄ボール２０は下流側の拡管部１５Ａまで移動するとそこに保持される。
【００２２】
掻き落とされたスライムは、井戸水１０とともに還元井戸に運ばれる。スライムそのものは有害物質を含まないので、還元井戸に戻しても環境を悪化させることはない。
【００２３】
以上のようにして、三方切替弁１３Ａ、１３Ｂが切替わる度に洗浄ボール２０が融雪配管（伝熱管）１４内を一端から他端へ移動するので管内の洗浄が行われることになる。なお、井戸水１０の水質に応じスライムの生成が少ない場合は、三方切替弁１３Ａ、１３Ｂの切替周期を更に長くしてもよい。
【００２４】
このようにして融雪配管の洗浄をおこなうのであるが、融雪配管内の地下水の流れ方向を変えて洗浄ボールを移動させ洗浄しているので洗浄を簡単に行え、また、洗浄ボールを摩耗等が生じても環境に悪影響を与えない独立気泡を含むセラミックなどの材質で構成することにより環境に悪影響を与えることなく洗浄できる。
【００２５】
【発明の効果】
本発明は融雪配管内の地下水の流れ方向を変えて洗浄ボールを移動させ洗浄しているので洗浄を簡単に行え、また、洗浄ボールを摩耗等が生じても環境に悪影響を与えない独立気泡を含むセラミックなどの材質で構成することにより環境に悪影響を与えることなく洗浄できる。
【図面の簡単な説明】
【図１】本発明の一実施例を示す構成図である。
【図２】図１のII-II断面図である。
【図３】本発明の 拡管部の構成を示す斜視図である。
【図４】本発明の 拡管部の横断面図である。
【符号の説明】
１０…地下水（井戸水）、１１…道路（路面）、１２…ポンプ、１３Ａ、１３Ｂ…導水主配管，１４…融雪配管モジュール，１５Ａ，１５Ｂ…融雪配管拡管部、１６…仕切バー、１７Ａ，１７Ｂ…分岐弁、２０…融雪配管用洗浄ボール、２１Ａ，２１Ｂ…三方切替弁。
【図１】
0003696771.tif 000002
【図２】
0003696771.tif 000003
【図３】
0003696771.tif 000004
【図４】
0003696771.tif 000005